(57)【要約】【課題】複雑な機能を用いることなく、かつ、種々の方向の音声の聞き取りを改善する補聴器を提供する。【解決手段】マイクロフォン１０と、マイクロフォン１０から出力される音を増幅する補聴部１２０と、雑音を生成する雑音生成部１３０と、補聴部１２０によって増幅された音に雑音生成部１３０によって生成された雑音を付加する雑音付加部１７０とを備える。【選択図】図２
2010200260.tif 000002
【特許請求の範囲】
【請求項１】
マイクロフォンと、
前記マイクロフォンから出力される音を増幅する補聴部と、
雑音を生成する雑音生成部と、
前記補聴部によって増幅された音に前記雑音生成部によって生成された雑音を付加する雑音付加部と
を備えることを特徴とする補聴器。
【請求項２】
前記雑音生成部によって生成された雑音を振幅変調して変調雑音を生成する振幅変調部
を更に備え、
前記雑音付加部は、前記補聴部によって増幅された音に前記振幅変調部によって生成された変調雑音を付加することを特徴とする請求項１に記載の補聴器。
【請求項３】
前記補聴器は、前記マイクロフォンと前記補聴部と前記雑音付加部とをそれぞれ備える左耳用補聴器および右耳用補聴器とから構成され、
前記左耳用補聴器が備える左耳用雑音付加部および前記右耳用補聴器が備える右耳用雑音付加部は、それぞれ同様の雑音を付加することを特徴とする請求項１に記載の補聴器。
【請求項４】
前記左耳用補聴器は、左耳用の前記雑音生成部である左耳用雑音生成部を更に備え、
前記右耳用補聴器は、右耳用の前記雑音生成部である右耳用雑音生成部を更に備え、
前記左耳用雑音生成部および前記右耳用雑音生成部は、それぞれ同様の雑音を生成し、
前記左耳用雑音付加部は、前記左耳用補聴器が備える左耳用補聴部によって増幅された音に前記左耳用雑音生成部によって生成された雑音を付加し、
前記右耳用雑音付加部は、前記右耳用補聴器が備える右耳用補聴部によって増幅された音に前記右耳用雑音生成部によって生成された雑音を付加することを特徴とする請求項３に記載の補聴器。
【請求項５】
前記左耳用補聴器は、左耳用の前記雑音生成部である左耳用雑音生成部を更に備え、
前記右耳用補聴器は、右耳用の前記雑音生成部である右耳用雑音生成部を更に備え、
前記左耳用補聴器または前記右耳用補聴器は、前記左耳用雑音生成部によって生成された雑音または前記右耳用雑音生成部によって生成された雑音の何れか一方の雑音を選択する雑音選択部を更に備え、
前記左耳用雑音付加部は、前記左耳用補聴器が備える左耳用補聴部によって増幅された音に前記雑音選択部によって選択された雑音を付加し、
前記右耳用雑音付加部は、前記右耳用補聴器が備える右耳用補聴部によって増幅された音に前記雑音選択部によって選択された雑音を付加することを特徴とする請求項３に記載の補聴器。
【請求項６】
前記左耳用補聴器または前記右耳用補聴器の何れか一方の補聴器は、両耳用の前記雑音生成部である共通雑音生成部を更に備え、
前記左耳用雑音付加部または前記右耳用雑音付加部の何れか一方の雑音付加部は、前記共通雑音生成部によって生成された雑音を無線通信により取得し、
前記左耳用雑音付加部は、前記左耳用補聴器が備える左耳用補聴部によって増幅された音に前記共通雑音生成部によって生成された雑音を付加し、
前記右耳用雑音付加部は、前記右耳用補聴器が備える右耳用補聴部によって増幅された音に前記共通雑音生成部によって生成された雑音を付加することを特徴とする請求項３に記載の補聴器。
【請求項７】
前記左耳用雑音生成部によって生成された雑音を振幅変調して変調雑音を生成する左耳用振幅変調部と、
前記右耳用雑音生成部によって生成された雑音を振幅変調して変調雑音を生成する右耳用振幅変調部と
を更に備え、
前記左耳用雑音付加部は、前記左耳用補聴部によって増幅された音に前記左耳用振幅変調部によって生成された変調雑音を付加し、
前記右耳用雑音付加部は、前記右耳用補聴部によって増幅された音に前記右耳用振幅変調部によって生成された変調雑音を付加することを特徴とする請求項４に記載の補聴器。
【請求項８】
前記左耳用雑音生成部によって生成された雑音を振幅変調して変調雑音を生成する左耳用振幅変調部と、
前記右耳用雑音生成部によって生成された雑音を振幅変調して変調雑音を生成する右耳用振幅変調部と
を更に備え、
前記雑音選択部は、前記左耳用振幅変調部によって生成された変調雑音または前記右耳用振幅変調部によって生成された変調雑音の何れか一方の変調雑音を選択し、
前記左耳用雑音付加部は、前記左耳用補聴部によって増幅された音に前記雑音選択部によって選択された変調雑音を付加し、
前記右耳用雑音付加部は、前記右耳用補聴部によって増幅された音に前記雑音選択部によって選択された変調雑音を付加することを特徴とする請求項５に記載の補聴器。
【請求項９】
前記共通雑音生成部によって生成された雑音を振幅変調して変調雑音を生成する振幅変調部を更に備え、
前記左耳用雑音付加部または前記右耳用雑音付加部の何れか一方の雑音付加部は、前記振幅変調部によって生成された変調雑音を無線通信により取得し、
前記左耳用雑音付加部は、前記左耳用補聴部によって増幅された音に前記振幅変調部によって生成された変調雑音を付加し、
前記右耳用雑音付加部は、前記右耳用補聴部によって増幅された音に前記振幅変調部によって生成された変調雑音を付加することを特徴とする請求項６に記載の補聴器。
【請求項１０】
前記雑音生成部は、前記マイクロフォンから出力される音から雑音を抽出することによって雑音を生成することを特徴とする請求項１に記載の補聴器。
【発明の詳細な説明】
【技術分野】
【０００１】
本発明は、補聴器に関する。
【背景技術】
【０００２】
雑音抑制機能により、音声の聞き取りを改善する補聴器が考案されている（例えば、特許文献１）。
【先行技術文献】
【特許文献】
【０００３】
【特許文献１】特開２０００−２６１８９４号公報
【発明の概要】
【発明が解決しようとする課題】
【０００４】
しかしながら、特許文献１に記載の補聴器は、左右の音声の和信号や差信号を出力するという複雑な雑音抑制機能が必要になるという問題がある。また、左右の音声の和信号や差信号を利用した雑音抑制であるため、正面方向以外（例えば斜め前方方向）の音声の聞き取りは改善しないという問題がある。本発明は、このような事情に鑑みてなされたものであり、複雑な機能を用いることなく、かつ、種々の方向の音声の聞き取りを改善する補聴器を提供することを目的とする。
【課題を解決するための手段】
【０００５】
上記問題を解決するために、本発明の一態様による補聴器は、マイクロフォンと、マイクロフォンから出力される音を増幅する補聴部と、雑音を生成する雑音生成部と、補聴部によって増幅された音に雑音生成部によって生成された雑音を付加する雑音付加部とを備えることを特徴とする。
【０００６】
上記補聴器は、雑音生成部によって生成された雑音を振幅変調して変調雑音を生成する振幅変調部を更に備え、雑音付加部は、補聴部によって増幅された音に振幅変調部によって生成された変調雑音を付加するようにしてもよい。
【０００７】
上記補聴器は、補聴器は、マイクロフォンと補聴部と雑音付加部とをそれぞれ備える左耳用補聴器および右耳用補聴器とから構成され、左耳用補聴器が備える左耳用雑音付加部および右耳用補聴器が備える右耳用雑音付加部は、それぞれ同様の雑音を付加するようにしてもよい。
【０００８】
左耳用補聴器は、左耳用の雑音生成部である左耳用雑音生成部を備え、右耳用補聴器は、右耳用の雑音生成部である右耳用雑音生成部を備え、左耳用雑音生成部および右耳用雑音生成部は、それぞれ同様の雑音を生成し、左耳用雑音付加部は、左耳用補聴器が備える左耳用補聴部によって増幅された音に左耳用雑音生成部によって生成された雑音を付加し、右耳用雑音付加部は、右耳用補聴器が備える右耳用補聴部によって増幅された音に右耳用雑音生成部によって生成された雑音を付加するようにしてもよい。
【０００９】
左耳用補聴器または右耳用補聴器は、左耳用雑音生成部によって生成された雑音または右耳用雑音生成部によって生成された雑音の何れか一方の雑音を選択する雑音選択部を備え、左耳用雑音付加部は、左耳用補聴器が備える左耳用補聴部によって増幅された音に雑音選択部によって選択された雑音を付加し、右耳用雑音付加部は、右耳用補聴器が備える右耳用補聴部によって増幅された音に雑音選択部によって選択された雑音を付加するようにしてもよい。  
【００１０】
左耳用補聴器または右耳用補聴器の何れか一方の補聴器は、両耳用の雑音生成部である共通雑音生成部を備え、左耳用雑音付加部または右耳用雑音付加部の何れか一方の雑音付加部は、共通雑音生成部によって生成された雑音を無線通信により取得し、左耳用雑音付加部は、左耳用補聴器が備える左耳用補聴部によって増幅された音に共通雑音生成部によって生成された雑音を付加し、右耳用雑音付加部は、右耳用補聴器が備える右耳用補聴部によって増幅された音に共通雑音生成部によって生成された雑音を付加するようにしてもよい。
【００１１】
左耳用雑音生成部によって生成された雑音を振幅変調して変調雑音を生成する左耳用振幅変調部と、右耳用雑音生成部によって生成された雑音を振幅変調して変調雑音を生成する右耳用振幅変調部とを備え、左耳用雑音付加部は、左耳用補聴部によって増幅された音に左耳用振幅変調部によって生成された変調雑音を付加し、右耳用雑音付加部は、右耳用補聴部によって増幅された音に右耳用振幅変調部によって生成された変調雑音を付加するようにしてもよい。
【００１２】
雑音選択部は、左耳用振幅変調部によって生成された変調雑音または右耳用振幅変調部によって生成された変調雑音の何れか一方の変調雑音を選択し、左耳用雑音付加部は、左耳用補聴部によって増幅された音に雑音選択部によって選択された変調雑音を付加し、右耳用雑音付加部は、右耳用補聴部によって増幅された音に雑音選択部によって選択された変調雑音を付加するようにしてもよい。
【００１３】
共通雑音生成部によって生成された雑音を振幅変調して変調雑音を生成する振幅変調部を備え、左耳用雑音付加部または右耳用雑音付加部の何れか一方の雑音付加部は、振幅変調部によって生成された変調雑音を無線通信により取得し、左耳用雑音付加部は、左耳用補聴部によって増幅された音に振幅変調部によって生成された変調雑音を付加し、右耳用雑音付加部は、右耳用補聴部によって増幅された音に振幅変調部によって生成された変調雑音を付加するようにしてもよい。
【００１４】
雑音生成部は、マイクロフォンから出力される音から雑音を抽出することによって雑音を生成するようにしてもよい。
【発明の効果】
【００１５】
本発明によれば、高度な雑音抑制機能を用いることなく、種々の方向の音声の聞き取りを改善することができる。左右の音声の和信号や差信号を利用するのではなく、比較的簡単な方法（変調雑音を付加するという方法、または、左右に同じ雑音を付加するという方法）によって、種々の方向の音声の聞き取りを改善することができる。
【図面の簡単な説明】
【００１６】
【図１】第１の実施形態における補聴器１の簡略透視図である
【図２】第１の実施形態におけるＤＳＰ２２の動作を説明するための図である。
【図３】第２の実施形態における左耳用ＤＳＰ２２ａおよび右耳用ＤＳＰ２２ｂの動作を説明するための図である。
【図４】第２の実施形態における左耳用ＤＳＰ２２ａおよび右耳用ＤＳＰ２２ｂの動作を説明するための図である。
【図５】第３の実施形態における左耳用ＤＳＰ２２ａおよび右耳用ＤＳＰ２２ｂの動作を説明するための図である。
【図６】第３の実施形態における左耳用ＤＳＰ２２ａおよび右耳用ＤＳＰ２２ｂの動作を説明するための図である。
【図７】第４の実施形態における左耳用ＤＳＰ２２ａおよび右耳用ＤＳＰ２２ｂの動作を説明するための図である。
【図８】第４の実施形態における左耳用ＤＳＰ２２ａおよび右耳用ＤＳＰ２２ｂの動作を説明するための図である。
【図９】効果を説明するための図である。
【発明を実施するための形態】
【００１７】
[第１の実施形態]
図１は、第１の実施形態における補聴器１の簡略透視図である。図９は、効果を説明するための図である。補聴器１は、音声入力穴３および音声出力穴４を有する左耳用本体２ａ（本発明の左耳用補聴器に相当する）、同様に音声入力穴３および音声出力穴４を有する右耳用本体２ｂ（本発明の右耳用補聴器に相当する）から構成される。
【００１８】
左耳用本体２ａは、図１（ａ）に示すように、左耳用マイク１０ａ、左耳用システムＬＳＩ（ＡＳＩＣ）２０ａおよび左耳用レシーバ３０ａを備える。左耳用システムＬＳＩ２０ａは、左耳用ＣＯＤＥＣ２１ａ、左耳用ＤＳＰ（Digital Signal Processor）２２ａ、および、左耳用ＥＥＰＲＯＭ（Electrically Erasable and Programmable Read Only Memory）２３ａを備える。左耳用ＣＯＤＥＣ２１ａは、Ａ／Ｄ変換を行う左耳用Ａ／Ｄ変換部１００ａ（図１において非図示）およびＤ／Ａ変換を行う左耳用Ｄ／Ａ変換部１１０ａ（図１において非図示）を備える。左耳用レシーバ３０ａは、左耳用スピーカ３１ａを備える。
【００１９】
左耳用マイク１０ａは、音声入力穴３からの音を音声信号（アナログ信号）に変換し、左耳用Ａ／Ｄ変換部１００ａに供給する。左耳用スピーカ３１ａは、左耳用Ｄ／Ａ変換部１１０ａからの音声信号を音に変換して音声出力穴４から放音する。左耳用ＤＳＰ（Digital Signal Processor）２２ａは、Ａ／Ｄ変換部１００ａからの音声データに所定の処理を行い、Ｄ／Ａ変換部１１０ａに供給する（詳細は後述）。左耳用ＥＥＰＲＯＭ２３ａは、左耳用ＤＳＰ２２ａにおいて必要となる各種情報を記憶する（詳細は後述）。なお、補聴器１の構成は、上述した形態に限られたものではない。例えば、ＣＯＤＥＣ２１ａ、ＤＳＰ２２ａ、ＥＥＰＲＯＭ２３ａをシステムＬＳＩ１２０ａで構成せずにそれぞれ単独で備えてもよいし、ＥＥＰＲＯＭ２３ａは他の形式の記憶手段でもよい。
【００２０】
同様に、右耳用本体２ｂは、図１（ｂ）に示すように、右耳用マイク１０ｂ、右耳用システムＬＳＩ２０ｂおよび右耳用レシーバ３０ｂを備える。右耳用システムＬＳＩ２０ｂは、左耳用システムＬＳＩ２０ａ同様、右耳用ＣＯＤＥＣ２１ｂ、右耳用ＤＳＰ２２ｂおよび右耳用ＥＥＰＲＯＭ２３ｂを備える。右耳用レシーバ３０ｂは、左耳用レシーバ３０ａ同様、右耳用スピーカ３１ｂを備える。
【００２１】
なお、以上の構成は、後述する第２、第３、第４の実施形態においても同様である。但し、第２、第３、第４の実施形態では、左耳用本体２ａおよび右耳用本体２ｂは、無線によって互いに通信するための無線通信部（非図示）を更に備える。
【００２２】
なお、以下の説明において、左耳用本体２ａと右耳用本体２ｂとを特に区別しないときは、本体２と称する。マイク、システムＬＳＩ、レシーバ、ＣＯＤＥＣ、ＤＳＰ、ＥＥＰＲＯＭ、Ａ／Ｄ変換部、Ｄ／Ａ変換部およびスピーカについても同様である。
【００２３】
図２は、第１の実施形態におけるＤＳＰ２２の動作を説明するための図である。第１の実施形態におけるＤＳＰ２２は、図２（ａ）に示すように、補聴部１２０、雑音生成部１３０、振幅変調部１５０および雑音付加部１７０を備える。
【００２４】
補聴部１２０は、Ａ／Ｄ変換部１００を介してマイク１０から出力される音を増幅（補聴）する。即ち、補聴部１２０は、Ａ／Ｄ変換部１００から供給された音声データ（デジタルデータ）を各周波数帯（例えば、１２５Ｈｚ帯、２５０Ｈｚ帯、５００Ｈｚ帯、１ｋＨｚ帯、２ｋＨｚ帯、４ｋＨｚ帯、８ｋＨｚ帯）に分割し、各周波数帯の音声データをＥＥＰＲＯＭ２３に記憶されている周波数帯毎のパラメータを用いて増幅し、増幅後の各周波数帯の音声データを合成して元の周波数帯の音声データを生成する。なお、Ａ／Ｄ変換部１００は、マイク１０から取得した音声信号（アナログデータ）を音声データに変換し補聴部１２０に供給する。
【００２５】
雑音生成部１３０は、臨界帯域幅以上の雑音（例えば白色雑音）を生成する。振幅変調部１５０は、雑音生成部１３０によって生成された雑音を振幅変調して変調雑音を生成する。雑音付加部１７０は、補聴部１２０によって増幅された音に、振幅変調部１５０によって生成された変調雑音を付加する。なお、Ｄ／Ａ変換部１１０は、雑音付加部１７０から出力される音声データを音声信号に変換し、スピーカ３１に供給する。
【００２６】
以上、第１の実施形態に係る補聴器１によれば、変調雑音の付加によって可聴閾値が改善する。図９（ａ）に示すように、雑音を振幅変調した場合、妨害音を強くする方（妨害音の帯域幅を拡大して音量を増加させた方）が、逆に、体感する妨害の量（妨害量）が減少（可聴閾値が改善）するからである。従って、高度な雑音抑制機能を用いることなく、第１の実施形態に係る補聴器１によれば、種々の方向の音声の聞き取りが改善する。なお、図９（ａ）の横軸は妨害音の強さ、縦軸は妨害量である。
【００２７】
なお、ＤＳＰ２２は、補聴部１２０の前段に、Ａ／Ｄ変換部１００から供給された音声データに含まれる雑音を抑制する既知の（複雑でない）雑音抑制部（非図示）を備えるようにしてもよい。後述する第２、第３、第４の実施形態においても同様である。
【００２８】
また、雑音生成部１３０は、所定の雑音を生成することに代えて、Ａ／Ｄ変換部１００を介してマイク１０から出力される音に所定の処理を施して環境雑音のみを抽出して出力するものとしてもよい。即ち、振幅変調部１５０は、雑音生成部１３０によって抽出された雑音を振幅変調して変調雑音を生成するようにしてもよい。図２（ｂ）に記載のＤＳＰを備える補聴器１によれば、Ａ／Ｄ変換部１００から供給された音声データに含まれる環境雑音を利用して雑音を生成することができる。なお、図２（ｂ）に記載のＤＳＰは、雑音生成部１３０の後段に、抽出した雑音のレベルを増減させる増幅部（非図示）を備えるようにしてもよい。
【００２９】
[第２の実施形態]
図３、図４は、第２の実施形態における左耳用ＤＳＰ２２ａおよび右耳用ＤＳＰ２２ｂの動作を説明するための図である。図３に示すように、第２の実施形態における左耳用ＤＳＰ２２ａは、左耳用補聴部１２０ａ、左耳用雑音生成部１３０ａおよび左耳用雑音付加部１７０ａを備え、第２の実施形態における右耳用ＤＳＰ２２ｂは、右耳用補聴部１２０ｂ、右耳用雑音生成部１３０ｂおよび右耳用雑音付加部１７０ｂを備える。
【００３０】
左耳用補聴部１２０ａは、左耳用Ａ／Ｄ変換部１００ａを介して左耳用マイク１０ａから出力される音を増幅する。即ち、左耳用補聴部１２０ａは、左耳用Ａ／Ｄ変換部１００ａから供給された音声データを各周波数帯に分割し、各周波数帯の音声データを左耳用ＥＥＰＲＯＭ２３ａに記憶されている周波数帯毎のパラメータを用いて増幅し、増幅後の各周波数帯の音声データを合成して元の周波数帯の音声データを生成する。なお、左耳用Ａ／Ｄ変換部１００ａは、左耳用マイク１０ａから取得した音声信号を音声データに変換し左耳用補聴部１２０ａに供給する。右耳用補聴部１２０ｂも同様に、右耳用Ａ／Ｄ変換部１００ｂを介して右耳用マイク１０ｂから出力される音を増幅する。
【００３１】
左耳用雑音生成部１３０aは、臨界帯域幅以上の雑音（例えば白色雑音）を生成する。左耳用雑音付加部１７０ａは、左耳用補聴部１２０ａによって増幅された音に、左耳用補聴部１２０ａによって生成された雑音を付加する。なお、左耳用Ｄ／Ａ変換部１１０ａは、左耳用雑音付加部１７０ａから出力される音声データを音声信号に変換し、左耳用スピーカ３１ａに供給する。
【００３２】
右耳用雑音生成部１３０ｂは、左耳用雑音生成部１３０aによって生成される雑音と同様の雑音を生成する。右耳用雑音付加部１７０ｂは、右耳用補聴部１２０ｂによって増幅された音に、右耳用補聴部１２０ｂによって生成された雑音を付加する。なお、右耳用Ｄ／Ａ変換部１１０ｂは、右耳用雑音付加部１７０ｂから出力される音声データを音声信号に変換し、スピーカ３１ｂに供給する。
【００３３】
以上、第２の実施形態に係る補聴器１によれば、音声と雑音との関係を両耳間で異なる関係にしたため（つまり、両耳の音声は通常異なるので、両耳の雑音を一定にすれば、音声と雑音との関係は両耳間で異なる関係となる）、可聴閾値が改善する。図９（ｂ）に示すように、右耳に音声のみが到達する場合、下段（（２）の図）のように両耳に同様の雑音が到達しているときの方が、上段（（１）の図）のように右耳にのみ雑音が到達しているときよりも、逆に、可聴閾値が改善するからである。つまり、上段の場合、右耳における音声と雑音の関係（両方有る）と、左耳における音声と雑音の関係（両方無い）とが同一の関係（音声および雑音の両方が有る場合と、音声および雑音の両方が無い場合とは、同一の関係であると考える）であるが、下段の場合、右耳における音声と雑音の関係（両方有る）と、左耳における音声と雑音の関係（音声が無いが雑音が有る）とが異なる関係であるためである。従って、高度な雑音抑制機能を用いることなく、第２の実施形態に係る補聴器１によれば、種々の方向の音声の聞き取りが改善する。
【００３４】
また、図４に示すように、第２の実施形態における左耳用ＤＳＰ２２ａは、左耳用雑音生成部１３０ａによって生成された雑音を振幅変調して変調雑音（臨界帯域幅以上の変調雑音）を生成する左耳用振幅変調部１５０ａを更に備え、第２の実施形態における右耳用ＤＳＰ２２ｂは、右耳用雑音生成部１３０ｂによって生成された雑音を振幅変調して変調雑音（臨界帯域幅以上の変調雑音）を生成する右耳用振幅変調部１５０ｂを更に備えるようにしてもよい。即ち、左耳用雑音付加部１７０ａは、左耳用補聴部１２０ａによって増幅された音に、左耳用振幅変調部１５０ａによって生成された変調雑音を付加し、右耳用雑音付加部１７０ｂは、右耳用補聴部１２０ｂによって増幅された音に、右耳用振幅変調部１５０ａによって生成された変調雑音を付加するようにしてもよい。
【００３５】
[第３の実施形態]
図５、図６は、第３の実施形態における左耳用ＤＳＰ２２ａおよび右耳用ＤＳＰ２２ｂの動作を説明するための図である。図５に示すように、第３の実施形態における左耳用ＤＳＰ２２ａは、左耳用補聴部１２０ａ、共通雑音生成部１３０ｃおよび左耳用雑音付加部１７０ａを備え、第３の実施形態における右耳用ＤＳＰ２２ｂは、右耳用補聴部１２０ｂおよび右耳用雑音付加部１７０ｂを備える。
【００３６】
第３の実施形態における左耳用補聴部１２０ａは、第２の実施形態における左耳用ＤＳＰ２２ａと同様、左耳用Ａ／Ｄ変換部１００ａを介して左耳用マイク１０ａから出力される音を増幅する。右耳用補聴部１２０ｂも同様に、右耳用Ａ／Ｄ変換部１００ｂを介して右耳用マイク１０ｂから出力される音を増幅する。
【００３７】
共通雑音生成部１３０ｃは、所定の雑音を生成する。左耳用雑音付加部１７０ａは、左耳用補聴部１２０ａによって増幅された音に、共通雑音生成部１３０ｃによって生成された雑音を付加する。なお、左耳用Ｄ／Ａ変換部１１０ａは、左耳用雑音付加部１７０ａから出力される音声データを音声信号に変換し、スピーカ３１ａに供給する。
【００３８】
右耳用雑音付加部１７０ｂは、共通雑音生成部１３０ｃによって生成された雑音を無線通信により取得し、右耳用補聴部１２０ｂによって増幅された音に付加する。なお、右耳用Ｄ／Ａ変換部１１０ｂは、右耳用雑音付加部１７０ｂから出力される音声データを音声信号に変換し、スピーカ３１ｂに供給する。
【００３９】
以上、第３の実施形態に係る補聴器１によれば、第２の実施形態に係る補聴器１と同様、高度な雑音抑制機能を用いることなく、種々の方向の音声の聞き取りを改善することができる。
【００４０】
なお、図５に示す例では、左耳用ＤＳＰ２２ａが共通雑音生成部１３０ｃを備え、右耳用雑音付加部１７０ｂが共通雑音生成部１３０ｃによって生成された雑音を無線通信により取得するが、これとは逆に、右耳用ＤＳＰ２２ｂが共通雑音生成部１３０ｃを備え、左耳用雑音付加部１７０ａが共通雑音生成部１３０ｃによって生成された雑音を無線通信により取得するようにしてもよい。
【００４１】
また、図６に示すように、第３の実施形態における左耳用ＤＳＰ２２ａは、共通雑音生成部１３０ｃによって生成された雑音を振幅変調して変調雑音（臨界帯域幅以上の変調雑音）を生成する振幅変調部１５０を更に備えるようにしてもよい。即ち、左耳用雑音付加部１７０ａは、左耳用補聴部１２０ａによって増幅された音に、振幅変調部１５０によって生成された変調雑音を付加し、右耳用雑音付加部１７０ｂは、振幅変調部１５０によって生成された変調雑音を無線通信により取得し、右耳用補聴部１２０ｂによって増幅された音に付加するようにしてもよい。なお、右耳用ＤＳＰ２２ｂが共通雑音生成部１３０ｃを備える場合には、左耳用ＤＳＰ２２ａに代えて右耳用ＤＳＰ２２ｂが振幅変調部１５０を備える。
【００４２】
［第４の実施形態］
図７、図８は、第４の実施形態における左耳用ＤＳＰ２２ａおよび右耳用ＤＳＰ２２ｂの動作を説明するための図である。図７に示すように、第４の実施形態における左耳用ＤＳＰ２２ａは、左耳用補聴部１２０ａ、左耳用雑音生成部１３０ａ、雑音選択部１６０および左耳用雑音付加部１７０ａを備え、第４の実施形態における右耳用ＤＳＰ２２ｂは、右耳用補聴部１２０ｂ、右耳用雑音生成部１３０ｂおよび右耳用雑音付加部１７０ｂを備える。
【００４３】
第４の実施形態における左耳用補聴部１２０ａは、第２の実施形態における左耳用ＤＳＰ２２ａと同様、左耳用Ａ／Ｄ変換部１００ａを介して左耳用マイク１０ａから出力される音を増幅する。右耳用補聴部１２０ｂも同様に、右耳用Ａ／Ｄ変換部１００ｂを介して右耳用マイク１０ｂから出力される音を増幅する。
【００４４】
左耳用雑音生成部１３０ａは、左耳用Ａ／Ｄ変換部１００ａを介して左耳用マイク１０ａから出力される音に所定の処理を施して、環境雑音のみを抽出することによって雑音を生成する。同様に、右耳用雑音生成部１３０ｂは、右耳用Ａ／Ｄ変換部１００ｂを介して右耳用マイク１０ｂから出力される音に所定の処理を施して、環境雑音のみを抽出することによって雑音を生成する。
【００４５】
雑音選択部１６０は、左耳用雑音生成部１３０ａによって生成（抽出）された雑音または右耳用雑音生成部１３０ｂによって生成（抽出）された雑音の何れか一方の雑音を選択する。例えば、雑音選択部１６０は、右耳用雑音生成部１３０ｂによって生成（抽出）された雑音を無線通信により取得し、左耳用雑音生成部１３０ａによって生成（抽出）された雑音と比較し、高レベルである一方の雑音を選択する。
【００４６】
左耳用雑音付加部１７０ａは、左耳用補聴部１２０ａによって増幅された音に、雑音選択部１６０によって選択された雑音を付加する。なお、左耳用Ｄ／Ａ変換部１１０ａは、左耳用雑音付加部１７０ａから出力される音声データを音声信号に変換し、スピーカ３１ａに供給する。
【００４７】
右耳用雑音付加部１７０ｂは、雑音選択部１６０によって選択された雑音を無線通信により取得し、右耳用補聴部１２０ｂによって増幅された音に付加する。なお、右耳用Ｄ／Ａ変換部１１０ｂは、右耳用雑音付加部１７０ｂから出力される音声データを音声信号に変換し、スピーカ３１ａに供給する。
【００４８】
以上、第４の実施形態に係る補聴器１によれば、第２、３の実施形態に係る補聴器１と同様、高度な雑音抑制機能を用いることなく、種々の方向の音声の聞き取りを改善することができる。
【００４９】
なお、図７に示す例では、左耳用ＤＳＰ２２ａが雑音選択部１６０を備え、雑音選択部１６０は右耳用雑音生成部１３０ｂによって生成（抽出）された雑音を無線通信により取得するが、これとは逆に、右耳用ＤＳＰ２２ｂが雑音選択部１６０を備え、雑音選択部１６０は左耳用雑音生成部１３０ａによって生成（抽出）された雑音を無線通信により取得するようにしてもよい。
【００５０】
また、図８に示すように、第４の実施形態における左耳用ＤＳＰ２２ａは、左耳用雑音生成部１３０ａによって生成（抽出）された雑音を振幅変調して変調雑音（臨界帯域幅以上の変調雑音）を生成する左耳用振幅変調部１５０ａを更に備え、第４の実施形態における右耳用ＤＳＰ２２ｂは、右耳用雑音生成部１３０ｂによって生成（抽出）された雑音を振幅変調して変調雑音（臨界帯域幅以上の変調雑音）を生成する右耳用振幅変調部１５０ｂを更に備えるようにしてもよい。即ち、雑音選択部１６０は、左耳用振幅変調部１５０ａによって生成された変調雑音または右耳用振幅変調部１５０ｂによって生成された変調雑音の何れか一方の変調雑音を選択し、左耳用雑音付加部１７０ａは、左耳用補聴部１２０ａによって増幅された音に、雑音選択部１６０によって選択された変調雑音を付加し、右耳用雑音付加部１７０ｂは、右耳用補聴部１２０ｂによって増幅された音に、雑音選択部１６０によって選択された変調雑音を付加するようにしてもよい。
【００５１】
以上、本実施形態に係る補聴器１によれば、高度な雑音抑制機能を用いることなく、種々の方向の音声の聞き取りを改善することができる。
【００５２】
以上、この発明の実施形態について図面を参照して詳述してきたが、具体的な構成はこの実施形態に限られるものではなく、この発明の要旨を逸脱しない範囲の設計等も含まれる。
【符号の説明】
【００５３】
１  補聴器  ２  本体  ３  音声入力穴  ４  音声出力穴  １０  マイク（マイクロフォン）  ２０  システムＬＳＩ（ＡＳＩＣ）  ２１  ＣＯＤＥＣ  ２２  ＤＳＰ  ２３  ＥＥＰＲＯＭ  ３０  レシーバ  ３１  スピーカ  １００  Ａ／Ｄ変換部  １１０  Ｄ／Ａ変換部  １２０  補聴部  １３０  雑音生成部  １５０  振幅変調部  １６０  雑音選択部  １７０  雑音付加部  
【図１】
2010200260.tif 000003
【図２】
2010200260.tif 000004
【図３】
2010200260.tif 000005
【図４】
2010200260.tif 000006
【図５】
2010200260.tif 000007
【図６】
2010200260.tif 000008
【図７】
2010200260.tif 000009
【図８】
2010200260.tif 000010
【図９】
2010200260.tif 000011